(57)【特許請求の範囲】
【請求項１】
第１面及び第２面を有し、第１面が凸となり、第２面が凹となるように湾曲した外側ガラス板と、
第３面及び第４面を有し、第３面が凸となり、第４面が凹となるように湾曲した内側ガラス板と、
前記外側ガラス板及び前記内側ガラス板の間に配置され、前記外側ガラス板の第２面及び前記内側ガラス板の第３面を互いに接合する中間膜と、
前記外側ガラス板の第２面の周縁部に沿って積層される第１遮蔽層であって、前記外側ガラス板と異なる熱膨張率及び前記外側ガラス板よりも高い熱吸収率を有するセラミックにより構成される第１遮蔽層と、
前記第１遮蔽層の積層する位置に対応して、前記内側ガラス板の第４面の周縁部に沿って積層される第２遮蔽層であって、前記内側ガラス板と異なる熱膨張率及び前記内側ガラス板よりも高い熱吸収率を有するセラミックにより構成される第２遮蔽層と、
を備え、
前記外側ガラス板の前記第１遮蔽層の周縁部付近には、前記第２面側に凸となる外板変形部が形成され、
前記内側ガラス板の前記第２遮蔽層の周縁部付近には、前記第４面側に凸となる内板変形部が形成されている、
合わせガラス。
【請求項２】
前記第１遮蔽層及び前記第２遮蔽層は、ステレオカメラの複数の撮影装置それぞれが前記合わせガラスを通して撮影可能なように、当該複数の撮影装置それぞれにそれぞれ対応する複数の撮影窓を備える、
請求項１に記載の合わせガラス。
【請求項３】
前記外側ガラス板及び前記内側ガラス板は、自重曲げ加工製である、
請求項１又は２に記載の合わせガラス。
【請求項４】
取付角度が、水平方向に対して３０度以下である車両用のウインドシールドとして利用される、
請求項１から３のいずれか１項に記載の合わせガラス。
【請求項５】
第１面及び第２面を有し、第１面が凸となり、第２面が凹となるように湾曲した外側ガラス板と、
第３面及び第４面を有し、第３面が凸となり、第４面が凹となるように湾曲した内側ガラス板と、
前記外側ガラス板及び前記内側ガラス板の間に配置され、前記外側ガラス板の第２面及び前記内側ガラス板の第３面を互いに接合する中間膜と、
前記外側ガラス板の第２面の周縁部に沿って積層される遮蔽層であって、前記外側ガラス板と異なる熱膨張率及び前記外側ガラス板よりも高い熱吸収率を有するセラミックにより構成される遮蔽層と、
を備え、
前記外側ガラス板の前記遮蔽層の周縁部付近には、前記第２面側に凸となる外板変形部が形成されている、
合わせガラス。
【請求項６】
前記外側ガラス板における前記遮蔽層による外板変形部に対応する前記内側ガラス板の領域の曲率半径は、５００〜２００００ｍｍである、
請求項５に記載の合わせガラス。
【請求項７】
前記遮蔽層には、ステレオカメラの複数の撮影装置それぞれが前記合わせガラスを通して撮影可能なように、当該複数の撮影装置それぞれにそれぞれ対応する複数の撮影窓を備える、
請求項５又は６に記載の合わせガラス。
【請求項８】
前記外側ガラス板及び前記内側ガラス板は、自重曲げ加工製である、
請求項５から７のいずれか１項に記載の合わせガラス。
【請求項９】
取付角度が、水平方向に対して３０度以下である車両用のウインドシールドとして利用される、
請求項５から８のいずれか１項に記載の合わせガラス。
【発明の詳細な説明】
【技術分野】
【０００１】
本発明は、合わせガラスに関する。
【背景技術】
【０００２】
例えば、特許文献１では、凸となる第１面及び凹となる第２面を有する外側ガラス板と凸となる第３面及び凹となる第４面を有する内側ガラス板とを中間膜を介して互いに接合した合わせガラスが提案されている。このような合わせガラスでは、一般的には、内側ガラス板の第４面にのみ、セラミックにより構成される遮蔽層が形成される。
【先行技術文献】
【特許文献】
【０００３】
【特許文献１】特開２０１５−０２４９２９号公報
【発明の概要】
【発明が解決しようとする課題】
【０００４】
本件発明者らは、特許文献１に例示されるように、内側ガラス板の第４面にのみセラミックによる遮蔽層を形成すると、合わせガラスの成形の際に、次のような問題点が生じることを見出した。以下、図１〜図４を用いて、本件発明者らが見出した当該問題点について説明する。
【０００５】
図１は、成形前のガラス板９００の状態を模式的に例示する。図２は、加熱成形中のガラス板９００の状態を模式的に例示する。図３は、徐冷中のガラス板９００の状態を模式的に例示する。また、図４は、成形後のガラス板９００を利用した合わせガラス９を模式的に例示する。
【０００６】
まず、図１に例示されるように、遮蔽層９０１を構成するため、ウインドシールドを湾曲に成形する前に、平板状のガラス板９００における、成形により凹となる面の周縁部に、黒色等の濃色のセラミックが積層される。積層されたセラミックは、自重曲げ加工法、プレス加工法等でガラス板９００を曲げ成形する際に、ガラス板９００と共に加熱され、遮蔽層９０１を構成する。
【０００７】
ここで、遮蔽層９０１を構成するセラミックは、一般的には、ガラス板９００よりも高い熱吸収率を有する。そのため、曲げ成形するためにガラス板９００を加熱している間、セラミックがガラス板９００よりも高温になり、セラミックを積層した領域は、設計値以上の温度まで加熱される。
【０００８】
その結果、セラミックを積層した領域のガラスの粘性は小さくなる。これにより、図２に例示されるように、セラミックを積層した領域（遮蔽層９０１を形成した領域）は、設計上の形状９０２よりも大きく曲がってしまう。これは、ガラス板９００をいわゆる自重曲げ加工で成形する際に顕著に生じる。
【０００９】
次に、加熱による曲げ成形が完了した後、ガラス板９００は徐冷される。この徐冷工程の際、遮蔽層９０１を構成するセラミックの膨張係数とガラス板９００の膨張係数とが相違する場合には、遮蔽層９０１とガラス板９００との間で収縮量が異なってしまう。例えば、遮蔽層９０１を構成するセラミックがガラス板９００よりも高い熱膨張率を有する場合には、当該徐冷の過程において、ガラスの転移点及びセラミックの軟化点から常温までの冷却の間に、セラミックは、ガラス板９００よりも大きく収縮する。
【００１０】
これにより、ガラス板９００は、セラミックの積層された領域では、セラミックが収縮することにより、セラミックから圧縮の応力を受ける。同時に、このセラミックの収縮により、ガラス板９００は、セラミックの積層領域の周縁、特に、境界部の表面で、引張の応力を受ける。この圧縮応力及び引張応力により、図３に例示されるように、ガラス板９００における遮蔽層９０１の近傍領域９００１は、矢印Ｓの方向に持ち上げられる。
【００１１】
以上のように、曲げ成形の際の加熱により大きく湾曲し、かつ、徐冷の際に近傍領域９００１が矢印Ｓの方向の持ち上げられると、ガラス板９００における遮蔽層９０１周辺の領域は、図４に例示されるように、Ｓ字状に変形する。このガラス板９００と遮蔽層を設けていないガラス板とを用いて合わせガラスを形成すると、このＳ字状の変形が生じた部分で、両ガラス板の平行が担保できず、大きな透視歪が生じてしまう。すなわち、Ｓ字状の変形が生じた部分を通して見た景色が大きく歪んでしまう。
【００１２】
具体的には、図４に例示されるように、上記ガラス板９００を内側ガラス板とし、遮蔽層を設けていないガラス板９０３を外側ガラス板として、両ガラス板（９００、９０３）を樹脂製の中間膜（不図示）で接合して、合わせガラス９を構成したとする。この場合、ガラス板９００のＳ字状の変形が生じた部分、特に、遮蔽層９０１の境界付近で、両ガラス板（９００、９０３）の平行が担保できず、ガラス板９００とガラス板９０３との形状の違いに起因して、凸状の変形部９０４が生じてしまう。
【００１３】
そして、この凸状の変形部９０４には、両ガラス板（９００、９０３）により挟持され、圧迫されている中間膜が、隙間を埋めようと集まってくる。そのため、変形部９０４では、中間膜の厚みが大きくなってしまい、これによって、この変形部９０４は、凸レンズのように作用するようになってしまう。そうすると、変形部９０４を通して見た景色は、この凸レンズの作用によって、大きく歪んでしまう。本件発明者らは、このような理由により、内側ガラス板の第４面にのみセラミックによる遮蔽層を形成すると、遮蔽層付近で大きな透視歪が発生するという問題点が生じることを見出した。
【００１４】
本発明は、一側面では、このような実情を鑑みてなされたものであり、その目的は、遮蔽層付近で生じる透視歪を低減する技術を提供することである。
【課題を解決するための手段】
【００１５】
本発明は、上述した課題を解決するために、以下の構成を採用する。
【００１６】
すなわち、本発明の一側面に係る合わせガラスは、第１面及び第２面を有し、第１面が凸となり、第２面が凹となるように湾曲した外側ガラス板と、第３面及び第４面を有し、第３面が凸となり、第４面が凹となるように湾曲した内側ガラス板と、前記外側ガラス板及び前記内側ガラス板の間に配置され、前記外側ガラス板の第２面及び前記内側ガラス板の第３面を互いに接合する中間膜と、前記外側ガラス板の第２面の周縁部に沿って積層される第１遮蔽層であって、前記外側ガラス板と異なる熱膨張率及び前記外側ガラス板よりも高い熱吸収率を有するセラミックにより構成される第１遮蔽層と、前記第１遮蔽層の積層する位置に対応して、前記内側ガラス板の第４面の周縁部に沿って積層される第２遮蔽層であって、前記内側ガラス板と異なる熱膨張率及び前記内側ガラス板よりも高い熱吸収率を有するセラミックにより構成される第２遮蔽層と、を備え、前記外側ガラス板の前記第１遮蔽層の周縁部付近には、前記第２面側に凸となる外板変形部が形成され、前記内側ガラス板の前記第２遮蔽層の周縁部付近には、前記第４面側に凸となる内板変形部が形成されている。
【００１７】
当該構成に係る合わせガラスでは、外側ガラス板及び内側ガラス板の両方にそれぞれ遮蔽層が形成される。具体的には、第１遮蔽層は、外側ガラス板の凹となる第２面の周縁部に沿って積層される。第２遮蔽層は、内側ガラス板の凹となる第４面の周縁部に沿って積層される。
【００１８】
また、第１遮蔽層は、外側ガラス板と異なる熱膨張率と外側ガラス板よりも高い熱吸収率とを有するセラミックにより構成される。同様に、第２遮蔽層は、内側ガラス板と異なる熱膨張率と内側ガラス板よりも高い熱吸収率を有するセラミックにより構成される。そのため、各ガラス板において、各遮蔽層の周縁部付近には、当該各遮蔽層に起因して上記のような変形部（外板変形部と内板変形部）が形成される。
【００１９】
ここで、第１遮蔽層と第２遮蔽層とは互いに対応する位置に設けられるため、外板変形部及び内板変形部の生じる位置は重なり合う。そのため、両変形部の生じる領域で、両ガラス板が平行又はそれに近い状態になり、これによって、両ガラス板の間の距離はほぼ一定に保つことができ、両ガラス板の間で挟持される中間膜の厚みが大きく変化するのを抑えることができる。
【００２０】
したがって、当該構成によれば、各遮蔽層付近において、中間膜の厚みの変化に起因して、レンズ作用を発揮する領域が発生するのを抑止することができるため、遮蔽層付近で生じる透視歪を低減することができる。なお、透視歪とは、ガラスを通して見た景色が歪む現象のことである。
【００２１】
図２０を用いて、透視歪について詳細に説明する。図２０は、合わせガラス１０００に生じる透視歪を模式的に例示する断面図である。図２０に例示される合わせガラス１０００は、外側ガラス板１００１と内側ガラス板１００２とを備え、両ガラス板（１００１、１００２）の間には、中間膜１００３が配置されている。外側ガラス板１００１と中間膜１００３、及び内側ガラス板１００２と中間膜１００３とは密着し、屈折率の差が殆どないため、これらの界面では、光の屈折は生じにくく、概ね直進する。また、外側ガラス板１００１単体、または内側ガラス板１００２単体では、通常、表面と裏面との不規則な凹凸が対応しているため、像の歪みは抑制される。しかしながら、外側ガラス板１００１と内側ガラス板１００２とは異なるガラス板であるため、各ガラス板（１００１、１００２）の面に生じる凹凸は、必ずしも一致するとは限らず、その位置がずれるのが自然である。そのため、図２０に示されるように、基本的には、外側ガラス板１００１の車外側の面の凹凸と、内側ガラス板１００２の車内側の面の凹凸とはずれている。これによって、外側ガラス板１００１の車外側の面から入射した光は、屈折して外側ガラス板１００１、中間膜１００３、及び内側ガラス板１００２の内部を直進し、内側ガラス板１００２の車内側の面でさらに屈折する。したがって、入射光と出射光とは、平行にはならず、異なる角度となる。これに起因して、合わせガラス１０００を介して入射する光により生成される像に歪みが生じる。このときに生じる像の歪みが透視歪である。
【００２２】
また、上記構成に係る合わせガラスの別の形態として、ステレオカメラの複数の撮影装置それぞれが前記合わせガラスを通して撮影可能なように、当該複数の撮影装置それぞれにそれぞれ対応する複数の撮影窓を備えてもよい。当該構成によれば、上記の理由により、撮影窓の周縁部で生じる透視歪を低減することができる。そのため、ステレオカメラによる撮影に適した撮影窓を有する合わせガラスを提供することができる。
【００２３】
図２１及び図２２を用いて、ステレオカメラを利用する場面では、少しでも透視歪を低減することが望まれることについて説明する。図２１は、ステレオカメラの撮影状況を模式的に例示する。図２２は、合わせガラスのレンズ作用と視差の誤差との関係を模式的に例示する。
【００２４】
図２１に例示されるように、ステレオカメラの２つのカメラの間隔（基線長）Ｈ、ステレオカメラから対象物までの距離Ｌ、及び対象物について生じる視差θの関係は、θが微小角であることを考慮すると、次の数１の関係式で示される。
【００２５】
【数１】
0006587961.tif 000002
【００２６】
数１の関係式を微分すると数２になる。
【数２】
0006587961.tif 000003
【００２７】
数１及び数２の関係式により、視差に生じる誤差（Δθ）と対象物までの距離に生じる誤差（ΔＬ）との関係は、次の数３の関係式により示される。
【数３】
0006587961.tif 000004
【００２８】
ここで、カメラの間隔Ｈを１６０ｍｍとし、対象物までの距離Ｌを１０ｍとして、視差に誤差が生じたことで、対象物までの距離Ｌの測定値に１％（１００ｍｍ）の誤差が生じたとする。すなわち、ΔＬ＝１００ｍｍであるとする。この場合、数３の関係式にそれぞれの値を代入することで、視差に生じた誤差Δθは−０．１６ｍｒａｄであることが分かる。つまり、距離１０ｍにある対象物についての測定値の誤差を１％で抑えようとすると、視差の誤差の絶対値を０．１６ｍｒａｄ以内に抑えなければならないことが分かる。
【００２９】
また、図２２に示されるとおり、合わせガラスの撮影窓に幅Ｗの凸レンズ部分１１００が存在するとする。凸レンズ部分１１００の焦点距離をｆとすると、この凸レンズ部分１１００のレンズ作用による光線の歪みはレンズ部分の端で最大値Ｋとなり、焦点距離ｆと最大値Ｋとの関係式は、次の数４で示される。
【００３０】
【数４】
0006587961.tif 000005
【００３１】
ここで、上記のとおり、距離１０ｍにある対象物についての測定値の誤差を１％以内にする場合には、許容される視差の誤差の絶対値は０．１６ｍｒａｄ以内である。この場合に、例えば、凸レンズ部分１１００の幅Ｗを２０ｍｍ（典型値）としたときには、次の数５のとおり、Ｋ＝０．１６ｍｒａｄを代入して凸レンズ部分１１００の焦点距離ｆは６２．５ｍ以上となるレンズ作用が許容される。凹レンズでも符号が異なるだけで同様な計算結果となることから、換言するとレンズ部分のレンズパワーの絶対値が１６ｍｄｐｔ（ミリディオプター）以下ならば許容される、ということができる。なお、レンズパワーは焦点距離ｆの逆数である。
【００３２】
【数５】
0006587961.tif 000006
一方、凸レンズ部分１１００のレンズ作用が１０ｍｄｐｔに低減できたとすると、歪みの最大値Ｋは０．１０ｍｒａｄに抑えることができ、これによって、距離１０ｍにある対象物についての測定値の誤差を６２．５ｍｍに抑えることができる。
【００３３】
以上のとおり、ステレオカメラを利用する場合には、対象物の測定値の誤差を抑えるためには、撮影窓に生じる透視歪を少しでも低減することが重要になる。したがって、本発明により、撮影窓の周縁部で生じる透視歪を低減することができれば、ステレオカメラによる撮影に適した撮影窓を有する合わせガラスを提供することができる。
【００３４】
また、上記構成に係る合わせガラスの別の形態として、前記外側ガラス板及び前記内側ガラス板は、自重曲げ加工製であってよい。自重曲げ加工法では、曲げ成形を自重によって行うため、上記加熱時に各遮蔽層が高温になることに起因する変形が起こりやすい。そのため、自重曲げ加工法では、各遮蔽層付近で各変形部が生じやすくなり、これによって、大きな透視歪が発生しやすくなる。これに対して、当該構成によれば、上記の理由により、遮蔽層付近で生じる透視歪を低減することができる。そのため、当該構成によれば、遮蔽層付近で生じる透視歪を低減した自重曲げ加工製の合わせガラスを提供することができる。すなわち、本発明により遮蔽層近傍で生じる透視歪を低減することは、自重曲げ加工法で合わせガラスを成形する場面で、非常に有益な効果を発揮する。
【００３５】
なお、自重曲げ加工法で、合わせガラスを曲げ加工した場合には、当該合わせガラスの周縁部のほぼ全周にわたって、例えば、１５ＭＮ／ｍ2以上等、所定値以上の圧縮残留応力が発生し得る。この圧縮残留応力は、周縁部の加熱温度が高い場合、及び曲げ加工時の冷却速度を速めた場合に大きくなりやすい。また、このように、周縁部の加熱温度が高い場合、及び曲げ加工時の冷却速度を速めた場合には、上記のとおり、遮蔽層付近で変形部が生じやすくなる。したがって、所定値以上の圧縮残留応力が生じる場面では、遮蔽層付近で変形部が生じやすくなる。そのため、このような場面で、本発明により遮蔽層近傍で生じる透視歪を低減することは、非常に有益な効果を発揮する。
【００３６】
また、上記構成に係る合わせガラスの別の形態として、上記合わせガラスは、取付角度が、水平方向に対して３０度以下である車両用のウインドシールドとして利用されてよい。当該構成では、合わせガラスの取付角度が、水平方向に対して３０度以下であるため、ガラス板に形成される遮蔽層は、運転者の視野に入りやすく構成される。そのため、各遮蔽層付近で大きな透視歪が発生していると、当該透視歪により運転者の視野が恒常的に妨げられてしまう可能性がある。これに対して、当該構成によれば、上記の理由により、遮蔽層付近で生じる透視歪を低減することができる。したがって、水平方向に対する取付角度が３０度以下であるとの条件により、運転者の視野に各遮蔽層が入っても、運転者は、各遮蔽層周縁付近まで、車外の景色をスムーズに確認することができる。すなわち、本発明により遮蔽層付近で生じる透視歪を低減することは、水平方向に対する取付角度が３０度以下であるとの合わせガラスの取付条件に対して、非常に有益な効果を発揮する。
【００３７】
また、本発明の一側面に係る合わせガラスは、第１面及び第２面を有し、第１面が凸となり、第２面が凹となるように湾曲した外側ガラス板と、第３面及び第４面を有し、第３面が凸となり、第４面が凹となるように湾曲した内側ガラス板と、前記外側ガラス板及び前記内側ガラス板の間に配置され、前記外側ガラス板の第２面及び前記内側ガラス板の第３面を互いに接合する中間膜と、前記外側ガラス板の第２面の周縁部に沿って積層される遮蔽層であって、前記外側ガラス板と異なる熱膨張率及び前記外側ガラス板よりも高い熱吸収率を有するセラミックにより構成される遮蔽層と、を備え、前記外側ガラス板の前記遮蔽層の周縁部付近には、前記第２面側に凸となる外板変形部が形成されている。
【００３８】
当該構成に係る合わせガラスでは、内側ガラス板ではなく、外側ガラス板の第２面に遮蔽層が形成される。この遮蔽層は、外側ガラス板と異なる熱膨張率と外側ガラス板よりも高い熱吸収率とを有するセラミックにより構成される。そのため、外側ガラス板の遮蔽層の周縁部付近には、当該遮蔽層に起因して上記のような外板変形部が形成される。これによって、後述する図１１で例示されるように、当該外板変形部付近では、中間膜の厚みが小さくなり、凹レンズの作用を発揮する領域が生じ得る。
【００３９】
一方で、外側ガラス板及び内側ガラス板はそれぞれ湾曲している。そのため、当該構成に係る合わせガラスでは、視野方向の厚みが一定とは限らず、当該外側ガラス板及び内側ガラス板の湾曲に基づいて透視歪が生じ得る。ただし、外側ガラス板及び内側ガラス板はそれぞれ、第１面及び第３面がそれぞれ凸となるように湾曲している。そのため、両ガラス板の湾曲に起因する歪みと上記凹レンズの作用を発揮する領域による歪みとは打ち消し合う関係であることを本件発明者らは見出した。
【００４０】
したがって、当該構成によれば、外側ガラス板に生じる外板変形部に起因する透視歪は両ガラス板の湾曲に起因する透視歪と打ち消し合うため、遮蔽層付近で生じる透視歪を低減することができる。
【００４１】
また、上記構成に係る合わせガラスの別の形態として、前記外側ガラス板における前記遮蔽層による外板変形部に対応する前記内側ガラス板の領域の曲率半径は、５００〜２００００ｍｍである。好ましくは、１０００〜１００００ｍｍで、更に好ましくは１０００〜６０００ｍｍであってよい。当該構成によれば、内側ガラス板の曲率半径が５００〜２００００ｍｍであることにより生じ得る大きな透視歪を、外側ガラス板の外板変形部付近の領域が発揮する凹レンズの作用で抑制することができる。したがって、当該構成によれば、遮蔽層付近で生じる透視歪を低減することができる。
【００４２】
また、上記構成に係る合わせガラスの別の形態として、前記遮蔽層には、ステレオカメラの複数の撮影装置それぞれが前記合わせガラスを通して撮影可能なように、当該複数の撮影装置それぞれにそれぞれ対応する複数の撮影窓を備えてよい。当該構成によれば、ステレオカメラによる撮影に適した撮影窓を有する合わせガラスを提供することができる。
【００４３】
また、上記構成に係る合わせガラスの別の形態として、前記外側ガラス板及び前記内側ガラス板は、自重曲げ加工製であってよい。当該構成によれば、遮蔽層付近で生じる透視歪を低減した自重曲げ加工製の合わせガラスを提供することができる。
【００４４】
また、上記構成に係る合わせガラスの別の形態として、上記合わせガラスは、取付角度が、水平方向に対して３０度以下である車両用のウインドシールドとして利用されてよい。当該構成によれば、上記と同様に、水平方向に対する取付角度が３０度以下であるとの条件により、運転者の視野に各遮蔽層が入っても、運転者は、各遮蔽層近傍まで、車外の景色をスムーズに確認することができる。
【発明の効果】
【００４５】
本発明によれば、遮蔽層付近で生じる透視歪を低減する技術を提供することができる。
【図面の簡単な説明】
【００４６】
【図１】図１は、成形前のガラス板の状態を模式的に例示する。
【図２】図２は、加熱成形中のガラス板の状態を模式的に例示する。
【図３】図３は、徐冷中のガラス板の状態を模式的に例示する。
【図４】図４は、成形後のガラス板を利用した合わせガラスを模式的に例示する。
【図５】図５は、実施の形態に係る合わせガラスを模式的に例示する正面図である。
【図６】図６は、実施の形態に係る合わせガラスを模式的に例示する断面図である。
【図７】図７は、実施の形態に係るガラス板の製造工程を模式的に例示する。
【図８Ａ】図８Ａは、第４面にのみ遮蔽層を設けた場合の合わせガラスの遮蔽層近傍の形状を模式的に例示する。
【図８Ｂ】図８Ｂは、実施の形態に係る合わせガラスの遮蔽層付近の形状を模式的に例示する。
【図９】図９は、各変形部の状態を模式的に例示する。
【図１０】図１０は、他の形態に係る合わせガラスを模式的に例示する断面図である。
【図１１】図１１は、他の形態に係る合わせガラスの遮蔽層付近の形状を模式的に例示する。
【図１２Ａ】図１２Ａは、実施例に係る合わせガラスの第１面及び第３面をそれぞれデプスゲージで測定した結果を示す。
【図１２Ｂ】図１２Ｂは、比較例に係る合わせガラスの第１面及び第３面をそれぞれデプスゲージで測定した結果を示す。
【図１３】図１３は、実施例及び比較例に係る合わせガラスの総板厚の測定結果を示す。
【図１４】図１４は、透視歪の観察条件を説明するための図である。
【図１５】図１５は、歪率の計算方法を説明するための図である。
【図１６】図１６は、第２面と第４面とに遮蔽層を設けた実施例に係る合わせガラスの透視歪を示す写真である。
【図１７】図１７は、第２面に遮蔽層を設けた実施例に係る合わせガラスの透視歪を示す写真である。
【図１８】図１８は、第４面に遮蔽層を設けた比較例に係る合わせガラスの透視歪を示す写真である。
【図１９】図１９は、遮蔽層を設けていない参考例に係る合わせガラスの透視歪を示す写真である。
【図２０】図２０は、透視歪を説明するための図である。
【図２１】図２１は、ステレオカメラの視差を説明するための図である。
【図２２】図２２は、合わせガラスのレンズ作用とステレオカメラの視差の誤差との関係を説明するための図である。
【発明を実施するための形態】
【００４７】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００４８】
§１  構成例
最初に、図５及び図６を用いて、本実施形態に係る合わせガラス１を説明する。図５は、本実施形態に係る合わせガラス１を模式的に例示する正面図である。また、図６は、本実施形態に係る合わせガラス１を模式的に例示する断面図である。
【００４９】
なお、図５及び図６では、説明の便宜のため、ｘ軸、ｙ軸及びｚ軸を用いて各方向を例示している。ここでは、ｚ軸方向が地面に対して垂直な方向に相当し、ｚ軸の正の向きが鉛直上向きに相当する。また、ｘｙ平面は地面に対して水平な面に相当し、ｘ軸方向及びｙ軸方向はそれぞれ地面に対して水平な方向に相当する。以下では、ｚ軸正の方向及び負の方向をそれぞれ「上」及び「下」と称し、ｘ軸正の方向及び負の方向をそれぞれ「右」及び「左」と称し、ｙ軸正の方向及び負の方向をそれぞれ「前」及び「後」と称することとする。後述する図１０も各方向を同様に称する。
【００５０】
本実施形態に係る合わせガラス１は、車両用のウインドシールドとして利用され、垂直から傾けて自動車に取り付けられる。具体的には、図５及び図６に例示されるように、本実施形態に係る合わせガラス１は、車外側に配置される外側ガラス板２と、車内側に配置される内側ガラス板３と、を備えている。
【００５１】
図６に例示されるように、外側ガラス板２は、車外側の第１面２１及び車内側の第２面２２を有し、第１面２１が凸となり、第２面２２が凹となるように面直方向（図中のｙ軸方向）に湾曲している。同様に、内側ガラス板３は、車外側の第３面３１及び車内側の第４面３２を有し、第３面３１が凸となり、第４面３２が凹となるように面直方向（図中のｙ軸方向）に湾曲している。
【００５２】
外側ガラス板２及び内側ガラス板３の間には樹脂製の中間膜４が配置されており、この中間膜４は、外側ガラス板２の第２面２２と内側ガラス板３の第３面３１とを互いに接合している。また、外側ガラス板２の第２面２２の周縁部２３に沿って、車外からの視野を遮蔽する第１遮蔽層２４が設けられており、これに対応して、内側ガラス板３の第４面３２の周縁部３３に沿って、車外からの視野を遮蔽する第２遮蔽層３４が設けられている。
【００５３】
更に、この合わせガラス１を取り付ける自動車の車内には、ブラケット（不図示）等を介してステレオカメラ５が、両遮蔽層（２３、３３）に遮蔽されるように取り付けられる。このステレオカメラ５は、視差の生じた２枚の画像を同時に取得可能なように、互いに離間した２つの撮影装置（５１、５２）を有している。
【００５４】
そして、各遮蔽層（２３、３３）には、車内に配置された各撮影装置（５１、５２）が、合わせガラス１を通して車外の状況を撮影可能なように、各撮影装置（５１、５２）に対応する２つの撮影窓（（２４３、２４４）、（３４３、３４４））が形成されている。これにより、本実施形態に係る合わせガラス１は、ステレオカメラ５を備える自動車用のウインドシールドとして利用可能に構成されている。以下、各構成要素について説明する。
【００５５】
＜外側ガラス板及び内側ガラス板＞
まず、外側ガラス板２及び内側ガラス板３について説明する。外側ガラス板２及び内側ガラス板３それぞれには、公知のガラス板を用いることができる。例えば、外側ガラス板２及び内側ガラス板３はそれぞれ、熱線吸収ガラス、クリアガラス、グリーンガラス、ＵＶグリーンガラス等であってよい。
【００５６】
ただし、外側ガラス板２及び内側ガラス板３はそれぞれ、自動車の使用される国の安全規格に沿った可視光線透過率を実現するように構成される。例えば、外側ガラス板２によって所望の日射吸収率を確保し、内側ガラス板３によって可視光線透過率が安全規格を満たすように調整することもできる。以下に、外側ガラス板２及び内側ガラス板３を構成可能なガラスの組成の一例として、クリアガラスの組成の一例と、熱線吸収ガラス組成の一例を示す。
【００５７】
（クリアガラス）
ＳｉＯ2:７０〜７３質量％
Ａｌ2Ｏ3：０．６〜２．４質量％
ＣａＯ：７〜１２質量％
ＭｇＯ：１．０〜４．５質量％
Ｒ2Ｏ：１３〜１５質量％（Ｒはアルカリ金属）
Ｆｅ2Ｏ3に換算した全酸化鉄（Ｔ−Ｆｅ2Ｏ3）：０．０８〜０．１４質量％
【００５８】
（熱線吸収ガラス）
熱線吸収ガラスの組成は、例えば、クリアガラスの組成を基準として、Ｆｅ2Ｏ3に換算した全酸化鉄（Ｔ−Ｆｅ2Ｏ3）の比率を０．４〜１．３質量％とし、ＣｅＯ2の比率を０〜２質量％とし、ＴｉＯ2の比率を０〜０．５質量％とし、ガラスの骨格成分（主に、ＳｉＯ2やＡｌ2Ｏ3）をＴ−Ｆｅ2Ｏ3、ＣｅＯ2およびＴｉＯ2の増加分だけ減じた組成とすることができる。
【００５９】
本実施形態に係る合わせガラス１の厚みは特に限定されないが、軽量化の観点からは、外側ガラス板２及び内側ガラス板３の厚みの合計を、２．４〜４．６ｍｍとすることが好ましく、２．６〜３．８ｍｍとすることがさらに好ましく、２．７〜３．２ｍｍとすることが特に好ましい。このように、軽量化のためには、外側ガラス板２及び内側ガラス板３の合計の厚みを小さくすればよい。外側ガラス板２及び内側ガラス板３それぞれの厚みは特に限定されないが、例えば、以下のように、外側ガラス板２及び内側ガラス板３それぞれの厚みを決定することができる。
【００６０】
すなわち、外側ガラス板２は、主として、小石等の飛来物等の衝撃に対する耐久性及び耐衝撃性が求められる。他方、外側ガラス板２の厚みを大きくするほど重量が増し好ましくない。この観点から、外側ガラス板２の厚みは、１．８〜２．３ｍｍとすることが好ましく、１．９〜２．１ｍｍとすることがさらに好ましい。何れの厚みを採用するかは、実施の形態に応じて適宜決定することができる。
【００６１】
また、内側ガラス板３の厚みは、外側ガラス板２の厚みと同等にすることができるが、例えば、合わせガラスの軽量化のために、外側ガラス板２よりも厚みを小さくすることができる。具体的には、ガラスの強度を考慮すると、内側ガラス板３の厚みは、０．６〜２．０ｍｍであることが好ましく、０．８〜１．６ｍｍであることがさらに好ましく、１．０〜１．４ｍｍであることが特に好ましい。更には、内側ガラス板３の厚みは、０．８〜１．３ｍｍであることが好ましい。内側ガラス板３についても、何れの厚みを採用するかは、実施の形態に応じて適宜決定することができる。
【００６２】
また、図５及び図６に例示されるように、本実施形態では、外側ガラス板２及び内側ガラス板３はそれぞれ、略台形に形成されており、面直方向（図中のｙ軸方向）に互いに同程度に湾曲している。各ガラス板（２、３）の寸法は、実施の形態に応じて適宜設定されてよい。例えば、各ガラス板（２、３）の上辺部の長さの最大値は１３００ｍｍに設定されてよい。各ガラス板（２、３）の下辺部の長さの最大値は１６００ｍｍに設定されてよい。各ガラス板（２、３）の上辺部から下辺部までの長さ（高さ）の最大値は１４００ｍｍに設定されてもよい。また、各ガラス板（２、３）の曲率半径は、５００〜２００００ｍｍに設定されてよい。なお、ステレオカメラ５による対象物までの距離の測定の誤差を抑える観点から、各ガラス板（２、３）の後述する各撮影窓（２４３、２４４、３４３、３４４）の部分の曲率半径は、１５００ｍｍ以上に設定されるのが好ましい。
【００６３】
＜中間膜＞
次に、外側ガラス板２及び内側ガラス板３を接合する中間膜４について説明する。中間膜４は、実施の形態に応じて種々の構成が可能であり、例えば、軟質のコア層を、これよりも硬質の一対のアウター層で挟持した３層構造で構成することができる。このように中間膜４を軟質の層及び硬質の層の複数層で構成することによって、合わせガラス１の耐破損性能及び遮音性能を高めることができる。
【００６４】
また、中間膜４の材料は、特に限定されなくてよく、実施の形態に応じて適宜選択されてよい。例えば、中間膜４を上記のように硬さの異なる複数の層で構成する場合、硬質のアウター層には、ポリビニルブチラール樹脂（ＰＶＢ）を用いることができる。このポリビニルブチラール樹脂（ＰＶＢ）は、外側ガラス板２及び内側ガラス板３それぞれとの接着性及び耐貫通性に優れるため、アウター層の材料として好ましい。また、軟質のコア層には、エチレンビニルアセテート樹脂（ＥＶＡ）、又はアウター層に利用するポリビニルブチラール樹脂よりも軟質のポリビニルアセタール樹脂を用いることができる。
【００６５】
なお、一般的に、ポリビニルアセタール樹脂の硬度は、（ａ）出発物質であるポリビニルアルコールの重合度、（ｂ）アセタール化度、（ｃ）可塑剤の種類、（ｄ）可塑剤の添加割合などにより制御することができる。したがって、（ａ）〜（ｄ）の少なくともいずれかの条件を適切に調整することにより、アウター層に用いる硬質のポリビニルアセタール樹脂とコア層に用いる軟質のポリビニルアセタール樹脂とを作製してもよい。
【００６６】
更に、アセタール化に用いるアルデヒドの種類、複数種類のアルデヒドによる共アセタール化か単種のアルデヒドによる純アセタール化によって、ポリビニルアセタール樹脂の硬度を制御することができる。一概には言えないが、炭素数の多いアルデヒドを用いて得られるポリビニルアセタール樹脂ほど、軟質となる傾向がある。したがって、例えば、アウター層がポリビニルブチラール樹脂で構成されている場合、コア層には、炭素数が５以上のアルデヒド（例えばｎ−ヘキシルアルデヒド、２−エチルブチルアルデヒド、ｎ−へプチルアルデヒド、ｎ−オクチルアルデヒド）、をポリビニルアルコールでアセタール化して得られるポリビニルアセタール樹脂を用いることができる。
【００６７】
また、中間膜４の総厚は、実施の形態に応じて適宜設定可能であり、例えば、０．３〜６．０ｍｍとすることができ、０．５〜４．０ｍｍであることが好ましく、０．６〜２．０ｍｍであることが更に好ましい。例えば、コア層とコア層を挟持する一対のアウター層との３層構造で中間膜４を構成する場合、コア層の厚みは、０．１〜２．０ｍｍであることが好ましく、０．１〜０．６ｍｍであることがさらに好ましい。一方、各アウター層の厚みは、コア層の厚みよりも大きいことが好ましく、具体的には、０．１〜２．０ｍｍであることが好ましく、０．１〜１．０ｍｍであることがさらに好ましい。
【００６８】
このような中間膜４の製造方法は特には限定されないが、例えば、上述したポリビニルアセタール樹脂等の樹脂成分、可塑剤及び必要に応じて他の添加剤を配合し、均一に混練りした後、各層を一括で押出し成型する方法、この方法により作成した２つ以上の樹脂膜をプレス法、ラミネート法等により積層する方法が挙げられる。プレス法、ラミネート法等により積層する方法に用いる積層前の樹脂膜は単層構造でも多層構造でもよい。また、中間膜４は、上記のような複数の層で形成する以外に、１層で形成することもできる。
【００６９】
＜第１遮蔽層及び第２遮蔽層＞
次に、各ガラス板（２、３）に設けられる各遮蔽層（２４、３４）について説明する。図５及び図６に例示されるように、第１遮蔽層２４は、外側ガラス板２の第２面２２の周縁部２３に沿って積層されており、第２遮蔽層３４は、内側ガラス板３の第４面３２の周縁部３３に沿って積層されている。
【００７０】
詳細には、第１遮蔽層２４は、外側ガラス板２の周縁部２３に沿う周縁領域２４１と、外側ガラス板２の上辺部から下方に矩形状に突出した突出領域２４２と、に分けることができる。周縁領域２４１は、外側ガラス板２の周縁部からの光の入射を遮蔽する。突出領域２４２は、車内に配置されるステレオカメラ５を車外から見えないようにする。一方、外側ガラス板２における、第１遮蔽層２４より面方向内側の領域は、第１遮蔽層２４が形成されない非遮蔽領域２５である。
【００７１】
同様に、第２遮蔽層３４は、内側ガラス板３の周縁部３３に沿う周縁領域３４１と、内側ガラス板３の上辺部から下方に矩形状に突出した突出領域３４２と、に分けることができる。内側ガラス板３における、第２遮蔽層３４より面方向内側の領域は、第２遮蔽層３４が形成されない非遮蔽領域３５である。
【００７２】
本実施形態では、この第２遮蔽層３４は、第１遮蔽層２４の積層する位置に対応して設けられる。すなわち、合わせガラス１を観察する視野方向（図中のｙ軸方向）において、第２遮蔽層３４は、第１遮蔽層２４に重なるように配置される。本実施形態では、図６に例示されるように、視野方向において、第２遮蔽層３４の面方向内側の周縁部が第１遮蔽層２４の面方向内側の周縁部に一致するように、第２遮蔽層３４は配置される。そのため、視野方向において、第２遮蔽層３４の周縁領域３４１の位置は第１遮蔽層２４の周縁領域２４１の位置に一致し、第２遮蔽層３４の突出領域３４２の位置は第１遮蔽層２４の突出領域２４２の位置に一致する。
【００７３】
ここで、本実施形態では、第１遮蔽層２４と第２遮蔽層３４との対応関係を次のように定義する。すなわち、図６に例示されるように、外側ガラス板２の第１遮蔽層２４の終点２４５を起点として垂直方向に線Ｌ（垂線）を引く。また、内側ガラス板３の第２遮蔽層３４の終点３４５を起点として、線Ｌに平行な線Ｍ（平行線）をひく。この線Ｌと線Ｍとの間隔Ｎの絶対値が５ｍｍ以内であることを、第１遮蔽層２４の位置と第２遮蔽層３４の位置とが対応していると定義する。なお、後述する透視歪の低減の観点からは、この線Ｌと線Ｍとの間隔Ｎの絶対値が３ｍｍ以内に抑えられるのが好ましい。
【００７４】
更に、第１遮蔽層２４の突出領域２４２には、車内に配置されるステレオカメラ５の各撮影装置（５１、５２）の位置に対応して、互いに左右に離間して配置された２つの略台形状の撮影窓（２４３、２４４）が設けられている。同様に、第２遮蔽層３４の突出領域３４２には、各撮影装置（５１、５２）の位置に対応して、互いに左右に離間して配置された２つの略台形状の撮影窓（３４３、３４４）が設けられている。各撮影窓（２４３、２４４、３４３、３４４）の寸法等は、実施の形態に応じて適宜設定されてよい。例えば、両撮影窓（２４３、２４４）の間の間隔、及び両撮影窓（３４３、３４４）の間の間隔はそれぞれ、１００ｍｍ〜３００ｍｍの範囲で設定される。
【００７５】
すなわち、視野方向において、第１遮蔽層２４の各撮影窓（２４３、２４４）の位置は、第２遮蔽層３４の各撮影窓（３４３、３４４）の位置に一致する。各撮影窓（２４３、２４４）及び各撮影窓（３４３、３４４）は、各遮蔽層（２４、３４）を構成するセラミック等の材料の積層されていない領域である。そのため、各撮影装置（５１、５２）は、各撮影窓（２４３、２４４）及び各撮影窓（３４３、３４４）を介して、車外の状況を撮影することができる。
【００７６】
例えば、各撮影窓（２４３、２４４）及び各撮影窓（３４３、３４４）は、ＪＩＳ Ｒ ３２１１で定められるように、可視光の透過率が７０％以上になるように構成される。なお、この透過率は、ＪＩＳ Ｒ ３２１２（３．１１  可視光透過率試験）で定められているように、ＪＩＳ Ｚ ８７２２に規定された分光測定法によって測定することができる。
【００７７】
また、視野方向において、内側ガラス板３の非遮蔽領域３５の位置は、外側ガラス板２の非遮蔽領域２５の位置に一致する。運転者及び助手席に座る同行者は、両非遮蔽領域（２５、３５）を介して、車外の交通状況を確認する。そのため、外側ガラス板２の非遮蔽領域２５及び内側ガラス板３の非遮蔽領域３５は、少なくとも車外の交通状況を目視可能な程度に可視光の透過率を有するように構成される。
【００７８】
ただし、第２遮蔽層３４の配置は、このような例に限られなくてもよく、第１遮蔽層２４及び第２遮蔽層３４は、視野方向において、周縁部の位置が一致しない領域を含んでもよい。各遮蔽層（２４、３４）の幅は、実施の形態に応じて適宜、設定されてもよい。例えば、各突出領域（２４２、３４２）で、各遮蔽層（２４、３４）の幅は、１５０ｍｍ〜５００ｍｍに設定されてよい。また、側辺部で、各遮蔽層（２４、３４）の幅は、１５ｍｍ〜７０ｍｍに設定されてよい。更に、上辺部（各突出領域（２４２、３４２）を除く）及び下辺部で、各遮蔽層（２４、３４）の幅は、２０ｍｍ〜１００ｍｍに設定されてよい。
【００７９】
また、本実施形態では、第１遮蔽層２４は、外側ガラス板２と異なる熱膨張率と、外側ガラス板２よりも高い熱吸収率を有する、例えば、黒色、茶色、灰色、濃紺等の濃色のセラミックにより構成される。同様に、第２遮蔽層３４は、内側ガラス板３と異なる熱膨張率と、内側ガラス板３よりも高い熱吸収率を有する、例えば、黒色、茶色、灰色、濃紺等の濃色のセラミックにより構成される。例えば、各ガラス板（２、３）の熱膨張率が９０×１０-7／Ｋ  （３００℃）であるのに対して、各遮熱層（２４、３４）を構成するセラミックの熱膨張率は１２０×１０-7／Ｋ  （３００℃）であってよい。また、１０００ｎｍ〜２５００ｎｍの波長の範囲の光（赤外線）に対する各ガラス板（２、３）の反射率が上述のグリーンガラスの場合、４〜６％であるのに対して、各遮熱層（２４、３４）を構成するセラミックの当該光に対する反射率が１５％以下、更には１０％以下、時には、５％以下であってよい。
【００８０】
なお、第１遮蔽層２４を構成するセラミックの組成と第２遮蔽層３４を構成するセラミックの組成とは相違してもよい。各遮蔽層（２４、３４）には、種々の組成のセラミックを利用することができる。例えば、以下の組成のセラミックを各遮蔽層（２４、３４）に利用することができる。
【００８１】
【表１】
0006587961.tif 000007
＊１，アサヒ化成工業株式会社製：Black 6350（Pigment Green 17）
＊２，主成分：ホウケイ酸ビスマス、ホウケイ酸亜鉛
【００８２】
ここで、第１遮蔽層２４の線Ｌと第２遮蔽層３４の線Ｍとの間隔Ｎの絶対値を５ｍｍ以内にするためには、次の（ａ）〜（ｃ）のような方策が有効である。
（ａ）比較的に収縮率の小さいセラミックを各遮蔽層（２４、３４）に用いる。
（ｂ）各遮蔽層（２４、３４）の端部をドット、スリット形状等にする。
（ｃ）各遮蔽層（２４、３４）の厚みを２０μｍ以下にすることで、収縮による各ガラス板（２、３）への応力を小さくする。
以上の（ａ）〜（ｃ）によって、合わせガラス１を成形した後に、第１遮蔽層２４の線Ｌと第２遮蔽層３４の線Ｍとの間隔Ｎが大きくならないようにすることができる。したがって、本実施形態では、以上の（ａ）〜（ｃ）を適宜組み合わせることで、第１遮蔽層２４の線Ｌと第２遮蔽層３４の線Ｍとの間隔Ｎの絶対値を５ｍｍ以内に抑える。
【００８３】
＜ステレオカメラ＞
次に、ステレオカメラ５について説明する。ステレオカメラ５の各撮影装置（５１、５２）は、車外の状況を撮影可能なように、レンズ系、イメージセンサ等によって適宜構成される。図５に例示されるように、ステレオカメラ５の各撮影装置（５１、５２）は互いに左右方向に離間して配置されている。そのため、各撮影装置（５１、５２）によれば、視差の生じた複数の画像を取得することができる。
【００８４】
そして、各撮影装置（５１、５２）により得られた、視差の生じた複数の画像は、図６に例示されるように、画像処理装置６に送られる。画像処理装置６は、ステレオカメラ５により取得された複数の画像に基づいて、例えば、被写体と自車との間の距離（以下、「被写体距離」とも記載）、被写体の移動速度、被写体の種別等を解析する。
【００８５】
被写体距離は、公知の解析方法によって、得られた複数の画像内で生じている視差に基づいて推定することができる。また、被写体の移動速度は、被写体距離の時間変化と自車の速度とに基づいて推定することができる。また、被写体の種類は、パターン認識等の公知の画像解析方法によって推定することができる。
【００８６】
画像処理装置６は、そのような画像解析を行い、その結果をユーザ（運転者）に提示可能なように、記憶部、制御部、入出力部等を有するコンピュータとして構成される。このような画像処理装置６は、提供されるサービス専用に設計された装置の他、ＰＣ（Personal Computer）、タブレット端末等の汎用の装置であってもよい。
【００８７】
§２  製造方法
次に、図７を用いて、本実施形態に係る合わせガラス１の製造方法を説明する。図７は、本実施形態に係る合わせガラス１の成形工程を模式的に例示する。なお、以下で説明する合わせガラス１の製造方法は一例に過ぎず、各ステップは可能な限り変更されてもよい。また、以下で説明する製造工程について、実施の形態に応じて、適宜、ステップの省略、置換、及び追加が可能である。
【００８８】
まず、図７に例示される成形装置で合わせガラス１を成形する前に、準備工程として、平板状の外側ガラス板２及び内側ガラス板３を用意する。外側ガラス板２の第２面２２には、スクリーン印刷等によって、第１遮蔽層２４を構成するセラミックが印刷される。このとき、２つの撮影窓（２４３、２４４）を形成するため、突出領域２４２において、セラミックを印刷しない領域が２箇所設けられる。同様に、内側ガラス板３の第４面３２には、スクリーン印刷等によって、第２遮蔽層３４を構成するセラミックが印刷される。２つの撮影窓（３４３、３４４）を形成するため、突出領域３４２において、セラミックを印刷しない領域が２箇所設けられる。
【００８９】
次に、用意した外側ガラス板２及び内側ガラス板３に中間膜４を挟み込むことで平板状の合わせガラス１０を形成し、リング状（枠状）の成形型８００に、形成した合わせガラス１０を載置する。この成形型８００は搬送台８０１上に配置されており、成形型８００に合わせガラス１０を載置した状態で、搬送台８０１は、加熱炉８０２及び徐冷炉８０３内を順に通過する。
【００９０】
このとき、成形型８００はリング状であるため、合わせガラス１０は周縁部のみが支持された状態で加熱炉８０２を通過する。そして、加熱炉８０２内で軟化点温度付近まで加熱されると、平板状の合わせガラス１０は自重によって周縁部よりも内側が下方に湾曲し、曲面状に成形される。これによって、上記のような、面直方向に湾曲した合わせガラス１を製造することができる。
【００９１】
なお、製造された合わせガラス１は、車両用のウインドシールドとして、自動車の前方の窓部に所定の角度で取り付けられる。このとき、合わせガラス１の取付角度は、水平方向に対して３０度以下であってよい。そして、合わせガラス１を自動車に取り付けた後には、ブラケット（不図示）等を介して、ステレオカメラ５の各撮影装置（５１、５２）が車内に取り付けられる。
【００９２】
＜特徴＞
次に、図８Ａ及び図８Ｂを用いて、以上の方法で製造した合わせガラス１の特徴を説明する。図８Ａは、上記図４で例示される合わせガラス９と同様に、内側ガラス板７０２の第４面７０２１にのみ遮蔽層７０３を設けた合わせガラス９の遮蔽層７０３付近の形状を模式的に例示する。また、図８Ｂは、本実施形態に係る合わせガラス１の各遮蔽層（２４、３４）付近の形状を模式的に例示する。
【００９３】
後述する図１２Ａで示すように、ガラス板における遮蔽層付近の領域は、曲げ成形の際の加熱により大きく曲がり、かつ、徐冷の際に遮蔽層から圧縮応力及び引張応力を受けることで、Ｓ字状に変形する。図８Ａで例示されるように、合わせガラス７０の内側ガラス板７０２の第４面７０２１にのみ遮蔽層７０３を設けた場合には、当該遮蔽層７０３付近において、当該内側ガラス板７０２にのみ車内側に向けて凸状に変形した変形部７０４が形成される。
【００９４】
そのため、合わせガラス７０では、変形部７０４の領域において、外側ガラス板７０１と内側ガラス板７０２との平行が担保できず、外側ガラス板７０１と内側ガラス板７０２との幅が他の領域に比べて広くなってしまう。そして、この変形部７０４付近の領域に、外側ガラス板７０１と内側ガラス板７０２とで挟持され圧迫された中間膜（不図示）が、隙間を埋めようと集まってきて、これによって、この領域は、凸レンズのように作用するようになってしまう。よって、内側ガラス板７０２の第４面７０２１にのみ遮蔽層７０３を設けた場合には、遮蔽層７０３付近の領域で、大きな透視歪が発生してしまう（後述する図１８参照）。
【００９５】
これに対して、本実施形態に係る合わせガラス１では、外側ガラス板２の第２面２２に第１遮蔽層２４が設けられ、内側ガラス板３の第４面３２に第２遮蔽層３４が設けられる。そのため、図８Ｂに例示されるように、各ガラス板（２、３）において、各遮蔽層（２４、３４）の周縁部付近に、各遮蔽層（２４、３４）による変形部（２６、３６）が形成される。
【００９６】
具体的には、外側ガラス板２の第１遮蔽層２４の周縁部付近には、第２面２２側に凸となる外板変形部２６が形成される。内側ガラス板３の第２遮蔽層３４の周縁部付近には、第４面３２側に凸となる内板変形部３６が形成される。各変形部（２６、３６）は、例えば、０．０１〜０．１ｍｍ程度の変形を有する。なお、「周縁部付近」とは、各遮蔽層（２４、３４）に影響して変形部が生じる範囲であり、一例としては、各遮蔽層（２４、３４）の周縁部から各遮蔽層（２４、３４）の幅の分だけ面内方向の位置までの範囲である。
【００９７】
ここで、第１遮蔽層２４と第２遮蔽層３４とは互いに対応して配置される。そのため、図８Ｂに例示されるように、第１遮蔽層２４付近に形成される外側ガラス板２の外板変形部２６と、第２遮蔽層３４付近に形成される内側ガラス板３の内板変形部３６とは、互いに重なり合うように配置される。したがって、各ガラス板（２、３）で、各遮蔽層（２４、３４）に起因する各変形部（２６、３６）が形成されても、両ガラス板（２、３）の平行は保つことができ、両ガラス板（２、３）間の幅をほぼ一定に保つことができる。
【００９８】
したがって、本実施形態に係る合わせガラス１では、両ガラス板（２、３）の間で挟持される中間膜４の厚みが大きく変化するのを抑えることができ、上記のような凸レンズのように作用する領域が生じるのを防止することができる。これによって、本実施形態によれば、各遮蔽層（２４、３４）付近で大きな透視歪が発生するのを抑止することができる。
【００９９】
すなわち、本実施形態では、遮蔽層による変形部を両ガラス板で位置合わせして同じ方向に発生させることで、遮蔽層付近で生じる透視歪を低減している。そのため、両遮蔽層（２４、３４）は、両変形部（２６、３６）が視野方向に重なり、上記合わせガラス７０の場合に比べて、この各変形部（２６、３６）が形成される付近の領域で透視歪が低減される程度に互いに対応して配置されていればよい。例えば、両変形部（２６、３６）に起因するレンズ作用のレンズパワーが３００ｍｄｐｔ、好ましくは２００ｍｄｐｔ、更に好ましくは１００ｍｄｐｔ以下になるように、両変形部（２６、３６）が位置合わせされるように、各遮蔽層（２４、３４）を設けるのが好ましい。本実施形態では、線Ｌと線Ｍとの間隔Ｎの絶対値が５ｍｍ以内になるように、第１遮蔽層２４と第２遮蔽層３４とを対応させているため、両変形部（２６、３６）の部分における合わせガラス１のレンズパワーを抑えることができる。
【０１００】
ここで、図９を用いて、各変形部（２６、３６）のレンズパワーを詳細に検討する。図９は、各変形部（２６、３６）の状態を模式的に例示する。図９に例示される状態で、各変形部（２６、３６）の高さＱ１を０．０５ｍｍとし、幅Ｑ２を１０ｍｍとすると、三平方の定理から、曲率半径Ｒは１０００ｍｍとなる。レンズパワーＰと各面の曲率半径（Ｒａ、Ｒｂ）との関係は、以下の数６で示すことができるため、曲率半径Ｒが１０００ｍｍの各変形部（２６、３６）は、一定のレンズパワー（片方の面を平らとすると、５２０ｍｄｐｔ）を有する。
【０１０１】
【数６】
0006587961.tif 000008
なお、ｒａはガラスの屈折率（およそ、１．５２）であり、ｒｂは空気の屈折率（およそ、１．００）である。
【０１０２】
これに対して、本実施形態に係る合わせガラス１では、各変形部（２６、３６）を位置合わせすることで、各面の曲率半径（Ｒａ、Ｒｂ）がほぼ一致するようにしている。そのため、本実施形態では、各変形部（２６、３６）付近の合わせガラス１のレンズパワーを抑えることができ、これによって、透視歪を低減することができる。
【０１０３】
なお、従来でも、合わせガラスの第２面と第４面とにそれぞれ遮蔽層を設けるケースはあり得る。しかしながら、以下の２つの理由から、第２面の遮蔽層と第４面の遮蔽層とは対応して設けられず、図６及び図８Ｂで示した線Ｌと線Ｍとが１０ｍｍ以上離れていた。
（１）２面の遮蔽層と４面の遮蔽層とを完全に一致させることは困難であるため、いずれか一方の遮蔽層が他方の遮蔽層よりも大きくなるように構成される。
（２）曲げ加工によって２面の曲率と４面の曲率とが相違してしまうため、曲げ加工前（平板時）に２面の端部と４面の端部とを一致させていても、曲げ加工後に２面と４面とがずれてしまう
【０１０４】
したがって、従来の合わせガラスでは、第２面と第４面とにそれぞれ遮蔽層を設けても、各変形部の位置は大きくずれてしまい、透視歪を低減することができなかった。これに対して、本実施形態では、上記（ａ）〜（ｃ）を適宜組み合わせることで、第１遮蔽層２４と第２遮蔽層３４とを対応させているため、各遮蔽層（２４、３４）付近の透視歪を低減することができる。
【０１０５】
また、本実施形態では、第１遮蔽層２４に２つの撮影窓（２４３、２４４）が設けられ、第２遮蔽層３４に２つの撮影窓（３４３、３４４）が設けられる。各撮影窓（２４３、２４４、３４３、３４４）はセラミックの積層していない領域であり、各撮影窓（２４３、２４４、３４３、３４４）の周縁付近では、上記と同様に、変形部が生じうる。そのため、内側ガラス板の第４面にのみ遮蔽層を設けた場合には、内側ガラス板における撮影窓の領域に、ステレオカメラによる撮影に悪影響を及ぼす透視歪を発生させる変形部が形成される可能性がある。これに対して、本実施形態では、外側ガラス板２の第２面２２に第１遮蔽層２４を形成し、内側ガラス板３の第４面３２に第２遮蔽層３４を形成することで、各遮蔽層（２４、３４）付近の透視歪を低減している。そのため、本実施形態によれば、ステレオカメラ５による撮影に適した撮影窓（２４３、２４４、３４３、３４４）を有する合わせガラス１を提供することができる。
【０１０６】
また、本実施形態では、両ガラス板（２、３）は、自重曲げ加工製である。上記のとおり、自重曲げ加工法では、曲げ成形を自重によって行うため、上記加熱時に各遮蔽層（２４、３４）が高温になることに起因する変形が起こりやすい。そのため、自重曲げ加工法では、各遮蔽層（２４、３４）付近で各変形部（２６、３６）が生じやすくなり、これによって、大きな透視歪が発生しやすくなる。これに対して、本実施形態によれば、上記の理由により、各遮蔽層（２４、３４）付近の透視歪を低減することができる。そのため、本実施形態によれば、自重曲げ加工という透視歪の発生しやすい成形条件であっても、各遮蔽層（２４、３４）で大きな透視歪が発生するのを防止することができる。
【０１０７】
なお、自重曲げ加工法で、合わせガラス１を曲げ加工した場合には、合わせガラス１の周縁部のほぼ全周にわたって、例えば、１５ＭＮ／ｍ2以上等、所定値以上の圧縮残留応力が発生し得る。この圧縮残留応力は、加熱炉８０２内での周縁部の加熱温度が高い場合、及び徐冷炉８０３での冷却速度を速めた場合に大きくなりやすい。また、このように、加熱炉８０２内での周縁部の加熱温度が高い場合、及び徐冷炉８０３での冷却速度を速めた場合には、各遮蔽層（２４、３４）付近で各変形部（２６、３６）が生じやすくなる。したがって、所定値以上の圧縮残留応力が生じる場面では、各遮蔽層（２４、３４）付近で各変形部（２６、３６）が生じやすくなる。そのため、このような場面で、本実施形態のように各遮蔽層（２４、３４）近傍で生じる透視歪を低減することは、非常に有益な効果を発揮する。
【０１０８】
また、本実施形態では、合わせガラス１の取付角度が水平方向に対して３０度以下であってもよいため、各ガラス板（２、３）の各遮蔽層（２４、３４）は、運転者の視野に入りやすく構成される。そのため、各遮蔽層（２４、３４）付近で大きな透視歪が発生していると、当該透視歪により運転者の視野が恒常的に妨げられてしまう可能性がある。これに対して、本実施形態によれば、上記の理由により、各遮蔽層（２４、３４）付近の透視歪を低減することができる。したがって、水平方向に対する取付角度が３０度以下であるとの合わせガラス１の取付条件により、運転者の視野に各遮蔽層が入っても、運転者は、各遮蔽層近傍まで、車外の景色をスムーズに確認することができる。
【０１０９】
なお、各ガラス板（２、３）の曲率半径が大きくなる、すなわち、各ガラス板（２、３）が平板に近付くほど、合わせガラス１に生じる曲げ歪（ガラスが曲がっているために見える像の歪み）が少なくなる。そのような曲げ歪の少ない領域に各変形部（２６、３６）が形成されると、各変形部（２６、３６）による透視歪が目立ってしまう。この観点から、各ガラス板（２、３）の曲率半径は、２００００ｍｍ以下であるのが好ましく、１００００ｍｍ以下であるのがより好ましく、６０００ｍｍ以下であるのが好ましい。他方、各ガラス板（２、３）の曲率半径が小さくなると、上記数６の関係式に示されるとおり、レンズパワーが大きくなってしまい、これによって、透視歪が大きくなってしまう。この観点から、各ガラス板（２、３）の曲率半径は、５００ｍｍ以上であるのが好ましく、１０００ｍｍ以上であるのがより好ましい。
【０１１０】
§３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、上記合わせガラス１の各構成要素に関して、実施の形態に応じて、適宜、構成要素の省略、置換及び追加が行われてもよい。また、上記合わせガラス１の各構成要素の形状及び大きさも、実施の形態に応じて適宜決定されてもよい。例えば、以下のような変更が可能である。なお、以下では、上記実施形態と同様の構成要素に関しては同様の符号を用い、適宜説明を省略した。
【０１１１】
＜３．１＞
例えば、上記実施形態では、外側ガラス板２の第２面２２及び内側ガラス板３の第４面３２の両方にそれぞれ遮蔽層（２４、３４）を設けている。しかしながら、内側ガラス板３の第４面３２に形成した第２遮蔽層３４を省略し、外側ガラス板２の第２面２２にのみ遮蔽層（２４）を形成してもよい。以下、図１０及び図１１を用いて、本変形例について説明する。なお、説明の便宜のため、「第１遮蔽層２４」を「遮蔽層２４」とも記載する。
【０１１２】
図１０は、本変形例に係る合わせガラス１Ａを模式的に例示する断面図である。図１１は、本変形例に係る合わせガラス１Ａの遮蔽層２４付近の形状を模式的に例示する。本変形例に係る合わせガラス１Ａは、内側ガラス板３の第２遮蔽層３４が省略された点を除き、上記実施形態に係る合わせガラス１と同様の構成を有する。
【０１１３】
このように、上記セラミックによって、外側ガラス板２の第２面２２のみに遮蔽層２４が形成される場合、図１１に例示されるように、外側ガラス板２の遮蔽層２４の周縁部付近に、上記実施形態と同様に、第２面２２側に凸となる外板変形部２６が形成される。これによって、当該外板変形部２６付近では、両ガラス板（２、３）間の幅が狭くなり、すなわち、中間膜４の厚みが小さくなり、凹レンズの作用を発揮する領域が生じ得る。
【０１１４】
一方で、両ガラス板（２、３）は湾曲しており、合わせガラス１Ａは、垂直方向から傾けて自動車に取り付けられる。そのため、合わせガラス１Ａを観察する視野方向では、合わせガラス１Ａの厚みは一定とは限らず、両ガラス板（２、３）自体の湾曲に基づいて透視歪が生じうる。
【０１１５】
本変形例では、両ガラス板（２、３）は車外側に凸となるように湾曲しているのに対して、外板変形部２６付近の領域は、車外側に凹となるように変形している。すなわち、両ガラス板（２、３）の湾曲に基づく光の屈折方向と、外板変形部２６付近の領域に基づく光の屈折方向とは反対方向である。
【０１１６】
そのため、後述する図１７に例示されるように、両ガラス板（２、３）自体の湾曲に起因する歪みと、外板変形部２６付近の領域に起因する歪みとは、互いに打ち消し合う関係であることを本件発明者らは見出した。したがって、本変形例によれば、当該歪みの打ち消し合いに基づいて、遮蔽層２４付近で生じる透視歪を低減することができる。
【０１１７】
なお、上記実施形態では、遮蔽層（第１遮蔽層２４及び第２遮蔽層３４）が第２面２２及び第４面３２の２つの面に設けられるのに対して、本変形例では、遮蔽層（遮蔽層２４）は第２面２２の１つの面にのみ設けられる。そのため、本変形例に係る遮蔽層２４は、車外からの視野を適切に遮蔽するように、上記実施形態に係る各遮蔽層（２４、３４）よりも厚みが大きく構成されてよい。
【０１１８】
また、本変形例では、両ガラス板（２、３）自体の湾曲による歪みを、外板変形部２６付近の領域による歪みで打ち消すことで、遮蔽層２４付近で生じる透視歪を低減している。そのため、両ガラス板（２、３）自体の湾曲によってより歪みが生じやすい場面で、本変形例は有益な効果を発揮し得る。例えば、外側ガラス板２における遮蔽層２４による外板変形部２６に対応する内側ガラス板３の領域の曲率半径が５００〜２００００ｍｍであるような場面で、本変形例が利用されてもよい。当該変形例によれば、両ガラス板（２、３）自体が大きな透視歪を発生させ得る場面でも、遮蔽層２４付近で生じる透視歪を低減することができる。なお、外板変形部２６に対応する内側ガラス板３の領域の曲率半径は、１０００〜１００００ｍｍの範囲で設定されるのが好ましく、１０００〜６０００ｍｍの範囲で設定されるのがより好ましい。例えば、外板変形部２６が上記図９で想定した状態である場合、外板変形部２６の曲率半径Ｒは、１０００ｍｍ（１ｍ）である。この場合に、内側ガラス板３の領域の曲率半径が上記のような範囲を超えた、例えば、５００ｍｍの場合、上記数６の関係式から、全体におけるレンズ作用のレンズパワーが１５６０ｍｄｐｔとなる。一方、内側ガラス板３の当該領域の曲率半径が３０００ｍｍ（３ｍ）とすると、上記数６の関係式から、これら全体におけるレンズ作用のレンズパワーは、約７００ｍｄｐｔに抑えられることが分かる。そのため、外板変形部２６に対応する内側ガラス板３の領域の曲率半径が上記のような範囲に設定される場合、各ガラス板（２、３）自体の湾曲を外板変形部２６の湾曲で打ち消すことができ、これによって、外板変形部２６付近における合わせガラス１Ａの透視歪を低減することができる。
【０１１９】
＜３．２＞
また、例えば、上記実施形態では、各遮蔽層（２４、３４）は一層構造である。しかしながら、各遮蔽層（２４、３４）は、このような例に限定されなくてもよく、多層構造であってもよい。例えば、内側ガラス板３の第４面３２にセラミックを積層することで第１セラミック層を形成する。次に、第１セラミック層の上に銀を積層することで銀層を形成する。更に、この銀層の上にセラミックを積層することで第２セラミック層を形成する。これによって、３層構造の第２遮蔽層３４を形成することができる。この３層構造の第２遮蔽層３４は、銀層によって電磁波を遮蔽することができる。なお、この銀層には、以下の表２に示される組成の材料を利用することができる。
【０１２０】
【表２】
0006587961.tif 000009
＊１，主成分：ホウケイ酸ビスマス、ホウケイ酸亜鉛
【０１２１】
＜３．３＞
また、例えば、上記実施形態では、各撮影窓（２４３、２４４）及び各撮影窓（３４３、３４４）はそれぞれ、各非遮蔽領域（２５、３５）から離間して配置されている。すなわち、各撮影窓（２４３、２４４）及び各撮影窓（３４３、３４４）それぞれの周縁は、各遮蔽層（２４、３４）で囲まれている。しかしながら、各撮影窓（２４３、２４４）及び各撮影窓（３４３、３４４）それぞれの配置はこのような例に限定されなくてもよく、各撮影窓（２４３、２４４）及び各撮影窓（３４３、３４４）はそれぞれ、各非遮蔽領域（２５、３５）と連続するように形成されてもよい。
【０１２２】
また、例えば、上記実施形態では、各撮影窓（２４３、２４４）及び各撮影窓（３４３、３４４）はそれぞれ、略台形状に形成されている。しかしながら、各撮影窓（２４３、２４４）及び各撮影窓（３４３、３４４）の形状はそれぞれ、このような例に限定されなくてもよく、実施の形態に応じて適宜選択されてよい。例えば、各撮影窓（２４３、２４４）及び各撮影窓（３４３、３４４）はそれぞれ、矩形状、円状、楕円状等の形状に形成されてよい。なお、ステレオカメラ５が省略される場合には、各撮影窓（２４３、２４４）及び各撮影窓（３４３、３４４）は、省略されてよい。
【０１２３】
＜３．４＞
また、例えば、上記実施形態では、合わせガラス１の外側ガラス板２及び内側ガラス板３は自重曲げ加工製である。しかしながら、外側ガラス板２及び内側ガラス板３それぞれを湾曲に成形する方法は、自重曲げ加工法に限定されなくてもよく、実施の形態に応じて適宜選択されてよい。例えば、外側ガラス板２及び内側ガラス板３それぞれは、プレス加工法で湾曲に成形されてもよい。
【０１２４】
＜３．５＞
また、中間膜４は、種々の態様を採用することができる。例えば、中間膜４の一部を黒色等の濃色に染色して、中間膜４の一領域（染色領域）を各遮蔽層（２４、３４）の一部として構成してもよい。ただし、各撮影窓（２４３、２４４）及び各撮影窓（３４３、３４４）にこの染色領域が重なる場合には、各撮影装置（５１、５２）による撮影をこの染色領域が阻害する可能性がある。そのため、各撮影窓（２４３、２４４）及び各撮影窓（３４３、３４４）と染色領域とが重なる部分については、可視光の透過率の高い素材に置き換えることで、各撮影窓（２４３、２４４）及び各撮影窓（３４３、３４４）に染色領域が重ならないように構成してもよい。
【０１２５】
＜３．６＞
また、例えば、上記実施形態では、ステレオカメラ５は、２つの撮影装置（５１、５２）から構成されている。しかしながら、ステレオカメラ５を構成する撮影装置の数は、このような例に限定されなくてもよく、３台以上であってもよい。なお、各遮蔽層（２４、３４）の撮影窓の数は、ステレオカメラ５を構成する撮影装置の数に対応する。
【実施例】
【０１２６】
以下、本発明の実施例について説明する。ただし、本発明はこの実施例に限定される訳ではない。
【０１２７】
＜実験１：遮蔽層付近に生じる変形部＞
まず、セラミックを用いて遮蔽層付近にどのような変形部が生じるかを調べるために、以下の比較例１に係るガラス板を準備した。
【０１２８】
（比較例１）
・両ガラス板のサイズ：（左右方向）１３２９．６ｍｍ、（上下方向）９５１．０ｍｍ
・外側ガラス板の厚み：２．０ｍｍ
・内側ガラス板の厚み：１．６ｍｍ
・両ガラス板の種類：グリーンガラス
・両ガラス板の成形条件：中央のダブリ量が２６．１ｍｍ、最大のダブリ量が２６．７ｍｍとなるように、炉内温度を６５０℃に設定
・中間膜の厚み：０．８ｍｍ（単層構造）
・遮蔽層を設けた面：第２面及び第４面
・遮蔽層の幅：（上辺部）５０ｍｍ、（各側辺部）２５ｍｍ、（下辺部）１３０ｍｍ
・遮蔽層の厚み：１０〜２０μｍ
・線Ｌと線Ｍとの間の間隔Ｎ：１０ｍｍ
・遮蔽層を構成するセラミックの組成：顔料 １５％、樹脂（セルロース樹脂） ５％、有機溶媒（パインオイル） １５％、ガラスバインダ ６０％
・顔料：BLACK 3250(PIGMENT BLACK 28、アサヒ化成工業株式会社製)
【０１２９】
（実施例１）
また、上記比較例１の間隔Ｎが５ｍｍとなるようにする点を除き比較例１と同じ作製条件により、実施例１に係るガラス板を準備した。
【０１３０】
（形状の測定）
上記の作製条件に基づいて、実施例１及び比較例１に係る合わせガラスを作製した。そして、実施例１及び比較例１の作製した合わせガラスの外側ガラス板の第１面及び内側ガラス板の第３面の表面形状を下辺部中央から上方にデプスゲージ（株式会社ミツトヨ製、品番：ID-C112RB）で測定した。また、実施例１及び比較例１に対してデプスゲージによる測定結果に基づいて、外側ガラス板と内側ガラス板とを端部同士で重ね合わせて、合わせガラスの総厚を測定した。それぞれの結果を図１２Ａ、図１２Ｂ及び図１３に示す。なお、図１３に示されるとおり、実施例１及び比較例１の合わせガラスの総厚は、外側ガラス板、中間膜、及び内側ガラス板の合計よりも小さかった。この現象は、外側ガラス板、中間膜、及び内側ガラス板を一定の圧力下で重ね合わせたことに起因し、通常の製品で一般的に生じる。
【０１３１】
図１２Ｂ及び図１３に示されるとおり、比較例１に係る合わせガラスでは、遮蔽層付近において、内側ガラス板と外側ガラス板との間で形状の差が生じた。具体的には、図１２Ｂに示されるとおり、遮蔽層付近において内側ガラス板及び外側ガラス板の両方にＳ字状の変形が生じたが、遮蔽層を積層した内側ガラス板には外側ガラス板よりも大きな変形が生じていた。また、各遮蔽層の終点（デプスゲージの測定値が０となる点）が約１０ｍｍずれており、第１遮蔽層と第２遮蔽層とは対応して設けられていなかった。これによって、図１３に示されるとおり、外側ガラス板と内側ガラス板との間の幅が凸状に変化する部分が生じていた。この凸状に変化する部分のレンズパワーは凡そ５２０ｍｄｐｔであった。
【０１３２】
一方、図１２Ａに示されるとおり、実施例１に係る合わせガラスでは、各遮蔽層の終点のずれは約５ｍｍ程度であり、第１遮蔽層と第２遮蔽層とを対応して設けた。これによって、図１３に示されるとおり、外側ガラス板と内側ガラス板との間の幅が凸状に変化する部分が生じるのを抑えることができた。
【０１３３】
なお、以上の結果において、遮蔽層を設けた部分で大きな変形が生じていることから、ガラス板を曲げ成形する際に、遮蔽層を構成するセラミックが想定よりも高温になっていることが推測された。そして、これによって、遮蔽層が大きく膨張し、比較例１では、図１３に示されるような凸状の変形が遮蔽層付近に生じることが分かった。
【０１３４】
＜実験２：透視歪の比較＞
次に、上記実施例１の他、第２面にのみ遮蔽層を形成した実施例２、第４面にのみ遮蔽層を形成した比較例２、遮蔽層を形成しなかった参照例を用意し、それぞれで生じる透視歪を目視により比較した。
【０１３５】
（実施例２）
第４面の遮蔽層を省略する点を除き実施例１と同じ作製条件により、実施例２に係るガラス板を準備した。
【０１３６】
（参考例）
第２面及び第４面の遮蔽層を省略する点を除き実施例１と同じ作製条件により、参考例に係るガラス板を準備した。
【０１３７】
（比較例２）
比較例２に係る合わせガラスの作製条件は次のとおりである。
・両ガラス板のサイズ：（左右方向）１３２９．６ｍｍ、（上下方向）９５１．０ｍｍ
・外側ガラス板の厚み：２．０ｍｍ
・内側ガラス板の厚み：１．６ｍｍ
・両ガラス板の種類：グリーンガラス
・両ガラス板の成形条件：中央のダブリ量が２６．１ｍｍ、最大のダブリ量が２６．７ｍｍとなるように、炉内温度を６５０℃に設定
・中間膜の厚み：０．８ｍｍ（単層構造）
・遮蔽層を設けた面：第４面
・遮蔽層の幅：（上辺部）５０ｍｍ、（各側辺部）２５ｍｍ、（下辺部）１３０ｍｍ
・遮蔽層の厚み：１０〜２０μｍ
・遮蔽層を構成するセラミックの組成：顔料 １５％、樹脂（セルロース樹脂） ５％、有機溶媒（パインオイル） １５％、ガラスバインダ ６０％
・顔料：BLACK 3250(PIGMENT BLACK 28、アサヒ化成工業株式会社製)
【０１３８】
（歪率の測定）
次に、図１４及び図１５に示す方法によって、各実施例（１、２）及び比較例２の遮蔽層付近並びに参照例の周縁部における透視歪を観察し、歪率を測定した。すなわち、図１４に示すとおり、カメラ５０１によって、各実施例（１、２）、比較例２及び参照例に係る合わせガラスを通して、縞模様の形成されたボード５００を撮影した。カメラ５０１は、地面から１４８０ｍｍの高さに配置した。また、各合わせガラスは、垂直方向から２７度傾けて配置した。ボード５００と各合わせガラスとの間の距離Ｄ１は８８４５ｍｍに設定し、カメラ５０１と各合わせガラスとの間の距離Ｄ２は３１６０ｍｍに設定した。ボード５００の縞模様は、ピッチ幅が１００ｍｍ（白線幅及び黒線幅それぞれ５０ｍｍ）、各線の角度が４５度であった。
【０１３９】
図１６〜図１９は、各実施例（１、２）、比較例２及び参照例それぞれの撮影により得られた写真を示す。具体的には、図１６は、実施例１に係る合わせガラス１００の撮影により得られた写真を示す。図１７は、実施例２に係る合わせガラス２００の撮影により得られた写真を示す。図１８は、比較例２に係る合わせガラス３００の撮影により得られた写真を示す。図１９は、参照例に係る合わせガラス４００の撮影により得られた写真を示す。
【０１４０】
そして、各写真を利用し、図１５に示すとおり、下辺見切りの中央（符号１０２、２０２、３０２、４０２の領域）で、Ａ〜Ｃの長さを測定し、以下の数７に示す計算に基づき、歪率を計算した。なお、Ａは、縞模様の付け根の部分から本来の縞模様までの長さを示す。Ｂは、本来の縞模様（図の点線）を実際の縞模様の外縁に接するように並行移動したシフト量（図の点線と図の一点鎖線との間の距離）を示す。Ｃは、付け根からＢを測定する高さまでの長さを示す。この歪率は、小さな値ほど、透視歪が少ない傾向を示す。
【０１４１】
【数７】
0006587961.tif 000010
【０１４２】
以上の計算の結果、実施例１の歪率は、１６％であった。実施例２の歪率は、１２％であった。比較例２の歪率は、２９％であった。参照例の歪率は、１０％未満であった。なお、歪率と官能評価との関係は、以下の表３に示すとおりである。
【０１４３】
【表３】
0006587961.tif 000011
ここで、「専門家」とは、視点を上下に動かす等、透視歪の発見方法を理解している人であり、「素人」とは、そのような透視歪の発見方法を知らない人である。
【０１４４】
したがって、各実施例（１、２）（例えば、符号１０１、１０２、２０１、２０２の領域）では、比較例２（例えば、符号３０１、３０２の領域）と比べて、遮蔽層付近の歪率を１０％以上改善することができ、これによって、素人でもわかる程度の透視歪の低減を図ることができた。すなわち、本発明によれば、遮蔽層付近に生じる透視歪を飛躍的に低減できることが分かった。
【符号の説明】
【０１４５】
１…合わせガラス、
２…外側ガラス板、
２１…第１面、２２…第２面、
２３…周縁部、２４…第１遮蔽層、２４１…周縁領域、２４２…突出領域、
２４３・２４４…撮影窓、２５…非遮蔽領域、２６…外板変形部、
３…内側ガラス板、
３１…第３面、３２…第４面、
３３…周縁部、３４…第２遮蔽層、３４１…周縁領域、３４２…突出領域、
３４３・３４４…撮影窓、３５…非遮蔽領域、３６…内板変形部、
４…中間膜、
５…ステレオカメラ、５１・５２…撮影装置、
６…画像処理装置、
８００…成形型、８０１…搬送台、８０２…加熱炉、８０３…徐冷炉、
５００…ボード、５０１…カメラ
【図１】
0006587961.tif 000012
【図２】
0006587961.tif 000013
【図３】
0006587961.tif 000014
【図４】
0006587961.tif 000015
【図５】
0006587961.tif 000016
【図６】
0006587961.tif 000017
【図７】
0006587961.tif 000018
【図８Ａ】
0006587961.tif 000019
【図８Ｂ】
0006587961.tif 000020
【図９】
0006587961.tif 000021
【図１０】
0006587961.tif 000022
【図１１】
0006587961.tif 000023
【図１２Ａ】
0006587961.tif 000024
【図１２Ｂ】
0006587961.tif 000025
【図１３】
0006587961.tif 000026
【図１４】
0006587961.tif 000027
【図１５】
0006587961.tif 000028
【図１６】
0006587961.tif 000029
【図１７】
0006587961.tif 000030
【図１８】
0006587961.tif 000031
【図１９】
0006587961.tif 000032
【図２０】
0006587961.tif 000033
【図２１】
0006587961.tif 000034
【図２２】
0006587961.tif 000035